(57)【要約】【課題】  機能性を保持しつつも、放湿性などに優れた寝心地のよい掛け布団用寝具を提供すること。【解決手段】  複数のピース連結体１１と基布１２とから構成される掛け布団用寝具１０であって、前記ピース連結体１１は、前記基布１２に着脱可能に連結されるとともに、連結されない他端が一部を除いて解放されて自由となっているので、布団全体の厚さを保ったまま、寝返り等の身体の動きに対する追従性を向上させるとともに、放熱および放湿効果を向上させることができる。【選択図】  図１
2006230456.tif 000002
【特許請求の範囲】
【請求項１】
保温材が充填された複数のピース連結体と、基布とを有する掛け布団用寝具であって、
前記複数のピース連結体が、前記基布に着脱可能に連結されていることを特徴とする掛け布団用寝具。
【請求項２】
互いに隣接する前記ピース連結体の少なくとも一部が重ねられていることを特徴とする請求項１に記載の掛け布団用寝具。
【請求項３】
前記ピース連結体の一部分が前記基布に連結され、前記ピース連結体の前記基布に連結されていない部分が開放されていることを特徴とする請求項１または請求項２に記載の掛け布団用寝具。
【請求項４】
前記ピース連結体が平面視略矩形に形成されており、その一辺が前記基布に連結され、前記一辺に対向する他辺の両端部が係止手段により前記基布に解除可能に係止されていることを特徴とする請求項１から請求項３のいずれか一項に記載の掛け布団用寝具。
【請求項５】
前記ピース連結体にキルティング加工線が形成されており、それぞれ隣接するピース連結体のキルティング加工線の位置が一致しないように構成されていることを特徴とする請求項１から請求項４のいずれか一項に記載の掛け布団用寝具。
【請求項６】
前記基布のうち足元に配される部分に、小ピース連結体が着脱可能に連結されており、前記小ピース連結体の足元側の端部と、前記小ピース連結体に隣接する前記ピース連結体の足元側の端部と、が一致するよう配置されていることを特徴とする請求項１から請求項５のいずれか一項に記載の掛け布団用寝具。
【発明の詳細な説明】
【技術分野】
【０００１】
本発明は、掛け布団に関し、特に布団全体の厚さを保ったまま、身体への追従性および放熱、放湿効果を有する掛け布団用寝具に関するものである。
【背景技術】
【０００２】
一般に、掛け布団は袋状に形成された布地の中に、綿や羽毛、ポリエステル等の保温材が充填されており、保温材の偏りを防止するためにキルティング加工されたり、適宜箇所が縫って係止されたりしている。
しかし、これらの掛け布団は、布団の一部に損傷や機能の低下部分が生じた場合に、布地や中綿に損傷が殆ど無いにもかかわらず、全体を交換しなければならなかった。
そこで、これらの欠点を解消するべく図６に示すような構成の寝具が提案されている。この寝具は、相互に着脱可能な複数の分割片から成り、少なくとも一つの分割片に機能性が付与されたもので、機能の低下した分割片のみを交換できるようにしたものである。
【特許文献１】特開平８−２５６８９１号公報
【発明の開示】
【発明が解決しようとする課題】
【０００３】
しかし、これら従来の着脱可能な複数の分割片を単に並べて構成し、機能の低下した分割片のみを取り替える寝具では、寝具全体の放熱性や放湿性が不十分であるという問題があった。また、掛け布団としての全体の厚さや、寝返り等の身体の動きに対する追従性に欠けるものであった。
【０００４】
本発明は、このような事情に鑑みてなされたものであって、機能性を保持しつつも、放湿性などに優れた寝心地のよい掛け布団用寝具を提供することを目的とする。
【課題を解決するための手段】
【０００５】
上記課題を解決するために、本発明は以下の手段を提供する。
請求項１に係る発明は、保温材が充填された複数のピース連結体と、基布とを有する掛け布団用寝具であって、前記複数のピース連結体が、前記基布に着脱可能に連結されていることを特徴とする。
【０００６】
この発明に係る掛け布団用寝具においては、複数のピース連結体が基布に着脱可能に連結されているで、ピース連結体同士の隙間から布団内にたまる熱や湿気を容易に放出することができる。また、各ピース連結体が連結されていないため、布団全体の柔軟性を維持することができ、掛け布団として使用した際に身体によく追従させることができる。また、使用によって損傷、劣化した部分のピース連結体のみを交換、クリーニングすれば良く、布団全体を交換する必要がない。
【０００７】
請求項２に係る発明は、請求項１に記載の掛け布団用寝具において、互いに隣接する前記ピース連結体の少なくとも一部が重ねられていることを特徴とする。
【０００８】
この発明に係る掛け布団用寝具においては、互いに隣接するピース連結体の少なくとも一部が重ねられていることから、布団の厚さを保持することができ、適度な保温性を確保することができる。また、布団の柔軟性を維持することができる。
【０００９】
請求項３に係る発明は、請求項１または請求項２に記載の掛け布団用寝具において、前記ピース連結体の一部分が前記基布に連結され、前記ピース連結体の前記基布に連結されていない部分が開放されていることを特徴とする。
【００１０】
この発明に係る掛け布団用寝具においては、ピース連結体の開放側から、熱や湿気をより一層容易に放出することができる。
【００１１】
請求項４に係る発明は、請求項１から請求項３のいずれか一項に記載の掛け布団用寝具において、前記ピース連結体が平面視略矩形に形成されており、その一辺が前記基布に連結され、前記一辺に対向する他辺の両端部が係止手段により前記基布に解除可能に係止されていることを特徴とする。
【００１２】
この発明に係る掛け布団用寝具においては、ピース連結体の他辺の両端部が係止手段により解除可能に基布に係止されているので、適度な保温性を確保しつつ、放湿性を得ることができる。また、ピース連結体を容易に取り外すことができる。
【００１３】
請求項５に係る発明は、請求項１から請求項４のいずれか一項に記載の掛け布団用寝具において、前記ピース連結体にキルティング加工線が形成されており、それぞれ隣接するピース連結体のキルティング加工線の位置が一致しないように構成されていることを特徴とする。
【００１４】
この発明に係る掛け布団用寝具においては、ピース連結体のキルティング加工線の位置が一致していないことから、各ピース連結体同士の隙間が確保される。そのため、放熱および放湿効果を向上させるとともに、布団全体の厚さを保持することができる。
【００１５】
請求項６に係る発明は、請求項１から請求項５のいずれか一項に記載の掛け布団用寝具において、前記基布のうち足元に配される部分に、小ピース連結体が着脱可能に連結されており、前記小ピース連結体の足元側の端部と、前記小ピース連結体に隣接する前記ピース連結体の足元側の端部と、が一致するよう配置されていることを特徴とする。
【００１６】
この発明に係る掛け布団用寝具においては、足元側の端部を揃えながら小ピース連結体にピース連結体が重ねられることにより、基布のうちの足元に配される部分の重量が確保され、使用者の足元を塞ぐことができ、適度な保温性を確保することができる。
【発明の効果】
【００１７】
本発明によれば、ピース連結体の隙間から布団内にたまる熱や湿気を容易に放出することができるため、機能性を保持しつつ、睡眠時の快適性を向上させることができる。
【発明を実施するための最良の形態】
【００１８】
（実施例）
以下、一実施例を示す図面に基づいて本発明を詳細に説明する。図１は本発明に係る掛け布団用寝具の実施例示す平面図、図２は、基布の一例を示す説明図、図３はピース連結体の一例を示す説明図である。
掛け布団用寝具１０は、複数のピース連結体１１と基布１２とを備えている。
【００１９】
ピース連結体１１は、図３に示すように、平面視矩形に形成されており、かつ袋状に形成されている。そして、ピース連結体１１内には、綿花、羽毛、ポリエステル等の図５に示す保温材１３が充填されており、保温材１３の偏りを防止するためにキルティング加工され、キルティング加工線１４が袋体の長辺１１ａ，１１ｂに対して垂直方向に形成されている。キルティング加工線１４は、複数本それぞれ平行に形成されており、図３に示す実施例では、３本形成されている。なお、キルティング加工線１４の数は、３本に限ることなくピース連結体１１の寸法に応じて適宜決定される。また、ピース連結体１１の一方の長辺（一辺）１１ａには、その全長にわたってジッパー片１５が取り付けられている。一方の長辺１１ａに対向する他方の長辺（他辺）１１ｂのうち、その長さ方向の両端には、係止手段を構成するボタンホール１６が設けられている。さらに、ボタンホール１６の近傍には、図１に示すように、ループ状にされたループ紐２０が設けられている。
【００２０】
基布１２は、図２に示すように、平面視矩形に形成された縦長の布地からなるものである。この基布１２には、その長さ方向に直交する方向に延びる複数のジッパー片１７が、所定の間隔を開けて平行に配置されている。ジッパー片１７は、ジッパー片１５と係合可能に構成されている。また、基布１２の長さ方向に直交する方向の両端には、係止手段を構成する複数の紐付きボタン１８が配置されている。
このような構成のもと、ジッパー片１５とジッパー片１７とを係合させることにより、複数のピース連結体１１が、基布１２の長さ方向に配列されて、基布１２に着脱可能に連結されるようになっている。
【００２１】
図４は、ピース連結体１１を基布１２に連結して掛け布団用寝具１０を構成した場合におけるピース連結体１１の重なり状態を示すものである。各ピース連結体１１は、ピース連結体１１の一方の長辺１１ａに、隣接するピース連結体１１の他方の長辺１１ｂが重ねられて配置されている。すなわち、各ピース連結体１１は、それぞれ隣接する同士の一部が瓦状に重ねられて配置されている。また、ピース連結体１１の基布１２に連結されていない他方の長辺１１ｂ側は開放されてフリーになっている。そして、他方の長辺１１ｂは、その両端部のみが解除可能に係止されている。すなわち、それぞれループ紐２０を通された紐付きボタン１８が、ボタンホール１６に係止されている。このように、紐付きボタン１８をループ紐２０に通すことによって、布団全体の形状を維持することができる。
また、図１および図４に示すように、それぞれ隣接するピース連結体１１のキルティング加工線１４の位置が一致しないように形成されている。すなわち、キルティング加工線１４は、基布１２の長さ方向に直交する方向に、互い違いに（千鳥状に）配置されている。したがって、ピース連結体１１のキルティングされた凹部とキルティングされてない凸部が重なり合うように配置されている。
【００２２】
図４および図５に示すように、基布１２の長さ方向の一端部２１、すなわち基布１２を使用したときに、使用者の足元に配される部分には、平面視矩形に形成された袋状の小ピース連結体１９が、ジッパー等で着脱可能に連結されている。この小ピース連結体１９は、隣のピース連結体１１の足元側端部１１ｃと小ピース連結体１９の足元側端部１９ａとが略一致するよう配置されている。小ピース連結体１９は、横幅（長辺寸法）がピース連結体１１と同一で、縦方向の寸法（短辺寸法）が小さく設定されている。したがって、両者の長さ方向の端部が一致する様に形成されている。
【００２３】
以上のように構成された掛け布団用寝具１０によれば、ピース連結体１１が基布１２に着脱可能に連結されていることから、各ピース連結体１１の間から、布団にたまる熱や湿気を容易に放出することができる。また、布団全体の柔軟性を維持することができ、掛け布団として使用した際に身体によく追従させることができる。さらに、使用によって損傷、劣化した部分のピース連結体１１のみを交換、クリーニングすれば良く、メンテナンスを容易に行うことができる。また、各ピース連結体１１が、基布１２に対してずれるのを防止することができる。
また、ピース連結体１１の一部が重ねられていることから、寝具全体の厚さを常に保持することができるとともに、柔軟性を一層向上させることができる。
さらに、ピース連結体１１は、長辺１１ａで基布１２に連結されているので、綿花、羽毛等の保温材１３が一箇所に片寄ったりするのを防止することができる。
【００２４】
また、ピース連結体１１は、基布１２にジッパーで着脱可能に取り付けられているので、交換作業が容易である。
また、ピース連結体１１は、キルティングにより保温材１３が固定されているので、使用によって保温材が片寄るのを防止することができる。
さらに、隣接するピース連結体１１のキルティング加工線１４の位置が一致しないように、互い違いに配置されているので、ピース連結体１１の凹部と凹部とが重なることなく、ピース連結体１１同士の隙間を確保することができる。そのため、放熱、放湿効果を向上させることができ、掛け布団用寝具１０全体の厚さを保持することができる。
また、掛け布団用寝具１０の足元に相当する部分には、小ピース連結体１９が設けられ、この小ピース連結体１９に、その足元側の端部が揃えられながらピース連結体１１が重ねられているため、足元に配される部分の適度な重量を確保することができる。そのため、使用者の足元を塞ぐことができ、その足元を暖かくすることができる。
【００２５】
尚、本実施の形態において、係止手段は、ボタンホール１６と紐付きボタン１８である場合について説明したが、他の係止手段、例えば、紐、フック、ファスナー等であってもよい。
また、ピース連結体１１と基布１２の連結もジッパーの他にボタンやフック等の係止手段であってもよい。
さらに、基布１２を縦長の布からなるとしたが、これに限ることはなく、その形状等は適宜変更可能である。例えば、基布１２に上布を設けて袋状にすることによって、各ピース連結体１１を覆う掛け布団カバーを構成するようにしてもよい。
【図面の簡単な説明】
【００２６】
【図１】図１は、本発明に係る掛け布団用寝具の実施の形態を示す平面図である。
【図２】図２は、同掛け布団用寝具に使用される基布の一例を示す説明図である。
【図３】図３は、同掛け布団用寝具に使用されるピース連結体の一例を示す説明図である。
【図４】図４は、同掛け布団用寝具におけるピース連結体の重なり状態を示す説明図である。
【図５】図５は、同掛け布団用寝具の足元部分を示す説明図である。
【図６】図６は、従来の複数の分割片で構成された機能性寝具の一例を示す説明図である。
【符号の説明】
【００２７】
１０      掛け布団用寝具
１１      ピース連結体
１１ａ    一方の長辺（一辺）
１１ｂ    他方の長辺（他辺）
１２      基布
１３      保温材
１４      キルティング加工線
１６      ボタンホール（係止手段）
１８      紐付きボタン（係止手段）
１９      小ピース連結体
【図１】
2006230456.tif 000003
【図２】
2006230456.tif 000004
【図３】
2006230456.tif 000005
【図４】
2006230456.tif 000006
【図５】
2006230456.tif 000007
【図６】
2006230456.tif 000008